(57)【要約】【課題】インピーダンス変換器とコンデンサ部を構成している背極板との間に確保されなければならない電気的な接続関係をより安定したものとすることができるコンデンサマイクロホンユニットの提供。【解決手段】ダイヤフラム１３との間でコンデンサ部１２を形成する背極板１４と、プリント基板４２に実装されたインピーダンス変換器４３とを、両者間に配置される中継端子部材３２を介して電気的に導通させて金属ケース５２内に収容してなるコンデンサマイクロホンユニット１１において、中継端子部材３２は、インピーダンス変換器４３側と接触する導電端子材３３と、背極板１４側と接触する導電弾性材３４との組合せで形成し、これにより背極板１４と導電弾性材３４との間の接続状態を安定化させた。【選択図】図１
2006157332.tif 000002
【特許請求の範囲】
【請求項１】
ダイヤフラムとの間でコンデンサ部を形成する背極板と、プリント基板に実装されたインピーダンス変換器とを、両者間に配置される中継端子部材を介して電気的に導通させて金属ケース内に収容してなるコンデンサマイクロホンユニットにおいて、
前記中継端子部材は、前記インピーダンス変換器側と前記背極板側との双方に接触する導電弾性材により形成したことを特徴とするコンデンサマイクロホンユニット。
【請求項２】
前記中継端子部材は、前記インピーダンス変換器側と接触する導電端子材と、前記背極板側と接触する導電弾性材との組合せで形成した請求項１に記載のコンデンサマイクロホンユニット。
【請求項３】
前記導電弾性材は音響抵抗機能を有する請求項１または２に記載のコンデンサマイクロホンユニット。
【発明の詳細な説明】
【技術分野】
【０００１】
本発明は、指向性がカージオイドを示す単一指向性（１次音圧傾度型）のコンデンサマイクロホンユニットに関する技術である。
【背景技術】
【０００２】
図２は、従来からある単一指向性（１次音圧傾度型）のコンデンサマイクロホンユニットの一例を示す縦断面図である（特許文献１の図３参照）。
【特許文献１】特開２０００−８３２９２号公報
【０００３】
同図によれば、コンデンサマイクロホンユニット１は、所定の厚さが付与されたスペーサ２ａを介して対向配置されたダイヤフラム３と背極板４とからなるコンデンサ部２を備えており、該コンデンサ部２は、円筒状に形成された金属ケース９内において、前方音響端子孔９ａが位置している前面側に配置されている。
【０００４】
また、背極板４は、後方音響端子孔５ａを有する絶縁台座５に支持されており、後方音響端子孔５ａは、フェルト材などからなる音響抵抗材５ｂを介して背極板４に設けられている透孔４ａと連通している。
【０００５】
さらに、金属ケース９の後方開口部側には、プリント基板６に実装された状態のインピーダンス変換器（ＦＥＴ）７が収納されており、金属ケース９の開放縁部９ｂ側を内側に向けてカールするようにかしめることで、プリント基板６により後方開口部側が封口されている。
【０００６】
この場合、インピーダンス変換器７と背極板４とは、コンタクトスプリング材８ａと導電端子材８ｂとの組合せで構成される中継端子部材８を介在させることで相互が電気的に導通する配置関係となっている。
【発明の開示】
【発明が解決しようとする課題】
【０００７】
ところで、図２に示されているコンデンサマイクロホンユニット１によれば、インピーダンス変換器７と背極板４との間の導通は、コンタクトスプリング８ａと端子部８ｂとからなる中継端子部材８を相互間に介在配置させる構造を採用することで実現されている。
【０００８】
しかし、背極板４に対しては、コンタクトスプリング８ａを点接触させた状態のもとで導通路が確保されているに過ぎず、コンタクトスプリング８ａ側に例えば皮脂等の付着物が付着している場合などには背極板４側との間の接触が不安定になり、このような接触不良に起因して雑音を発生させたり、感度を低下させてしまう不都合があった。
【０００９】
本発明は、従来技術の上記課題に鑑み、インピーダンス変換器とコンデンサ部を構成している背極板との間に確保されなければならない電気的な接続関係をより安定したものとすることができるコンデンサマイクロホンユニットを提供することに目的がある。
【課題を解決するための手段】
【００１０】
本発明は、上記目的を達成すべくなされたものであり、ダイヤフラムとの間でコンデンサ部を形成する背極板と、プリント基板に実装されたインピーダンス変換器とを、両者間に配置される中継端子部材を介して電気的に導通させて金属ケース内に収容してなるコンデンサマイクロホンユニットにおいて、前記中継端子部材は、前記インピーダンス変換器側と前記背極板側との双方に接触する導電弾性材により形成したことを最も主要な特徴とする。
【００１１】
この場合、前記中継端子部材は、前記インピーダンス変換器側と接触する導電端子材と、前記背極板側と接触する導電弾性材との組合せで形成することもできる。また、前記導電弾性材には、音響抵抗機能を具備させておくのが好ましい。
【発明の効果】
【００１２】
本発明のうち、請求項１に係る発明によれば、導電弾性材により中継端子部材が形成されているので、部材点数を少なくするなかで、導電弾性材を背極板側に面状の広がりを有する多くの部位にて接触させることことができ、相互の安定した接続状態を確保して接触不良による雑音の発生や感度の低下を効果的に回避させることができる。
【００１３】
また、請求項２に係る発明によれば、相互を安定的に接触させた状態で配置される導電端子材と導電弾性材との組合せで中継端子部材が形成されているので、導電弾性材を背極板側に面状の広がりを有する多くの部位にて接触させ、導電端子材をインピーダンス変換器側に確実に接触させることで、相互の安定した接続状態を確保して接触不良による雑音の発生や感度の低下を効果的に回避させることができる。
【００１４】
さらに、請求項３に係る発明によれば、導電弾性材は音響抵抗機能を備えているので、別途に音響抵抗材を介在させる必要をなくして、部品構成の簡素化を図ることができる。
【発明を実施するための最良の形態】
【００１５】
図１は、本発明の一例を示す説明図であり、そのうちの（ａ）は縦断面図を、（ｂ）は平面図をそれぞれ示す。
【００１６】
同図によれば、コンデンサマイクロホンユニット１１は、コンデンサ部１２とプリント基板４２に実装されたインピーダンス変換器（ＦＥＴ）４３とを相互に電気的に接続させた状態のもとで円筒状に形成された金属ケース５２内に収容することで形成されている。
【００１７】
これをさらに詳しく説明すれば、コンデンサ部１２は、所定の厚さが付与されたスペーサ１５を介して対向配置されたダイヤフラム１３とエレクトレット層を備える背極板１４とで形成されており、金属ケース５２内の前方音響端子孔５３が位置している前面側に収容することで配置されている。この場合、ダイヤフラム１３は、保持リング１３ａに振動板１３ｂを張設することで形成されている。
【００１８】
また、複数の透孔１４ａを有する背極板１４をその対向周縁部を介して支持する絶縁台座２２は、低座高の円柱形を呈する本体部２３と、該本体部２３の上面側に設けて背極板１４と直面する一側凹陥部２４と、下面側に設けてインピーダンス変換器４３を実装したプリント基板４２と直面する他側凹陥部２５と、中央位置にて一側凹陥部２４と他側凹陥部２５との間を貫通させた保持孔２６と、該保持孔２６と同方向に貫通させた複数の後方音響端子孔２７とを備えて形成されている。
【００１９】
また、絶縁台座２２の保持孔２６内には、インピーダンス変換器４３側とその下端面３３ａを介して接触する導電端子材３３が挿着保持されており、該導電端子材３３の上端面３３ｂは、背極板１４と直面する一側凹陥部２４内に配設されて背極板１４側と面状の広がりを有する多くの部位にて接触している導電弾性材３４と接触しており、これら導電端子材３３と導電弾性材３４との組合せのもとで中継端子部材３２が形成されている。
【００２０】
この場合、導電弾性材３４は、音響抵抗機能を備えたもの（例えば太陽金網株式会社の導電布  ＳＵＩ−７８−５０１０Ｔ）を使用して形成されており、これにより、従来は指向性を調整する必要から別途に介在配置されていたフェルト材などからなる音響抵抗材を不必要にすることができる。
【００２１】
一方、プリント基板４２に実装されているインピーダンス変換器４３は、導電端子材３３の下端面３３ａと接触することになる。すなわち、金属ケース５２の後方開口部５４側には、プリント基板４２に実装された状態のインピーダンス変換器４３が導電端子材３３の下端面３３ａと直面する位置関係のもとで収納されている。しかも、金属ケース５２の開放縁部５２ａは、内側に向けてカールするようにかしめてプリント基板４２側を押圧することで、インピーダンス変換器４３と導電端子材３３の下端面３３ａとを確実に接触させた状態のもとで、プリント基板４２により後方開口部５４側が封口されることになる。
【００２２】
次に、上記構成からなる本発明の作用・効果を図１を参酌しながら説明すれば、金属ケース５２内に配置されるコンデンサ部１２とプリント基板４２に実装されたインピーダンス変換器４３とは、相互間に介在させた中継端子部材３２により安定した状態のもとで電気的に接続させることができる。
【００２３】
すなわち、中継端子部材３２は、インピーダンス変換器４３側とその下端面３３ａを介して直接に接触する導電端子材３３と、該導電端子材３３の上端面３３ｂと接触しつつ、コンデンサ部１２を形成している背極板１４と直接に接触する導電弾性材３４との組合せのもとで構成されている。
【００２４】
したがって、面状の広がりを有する導電弾性材３４は、導電端子材３３の上端面３３ｂと圧接する状態のもとで、背極板１４と多くの部位にて弾性的に接触することになり、背極板１４に対し常に安定した状態のもとで接触させることができるので、接触不良に起因する雑音の発生や感度の低下を効果的に回避させることができる。
【００２５】
しかも、導電弾性材３４は、音響抵抗機能を備えているので、従来のように別途に音響抵抗材を介在させることなく指向性を調整することができることになり、構成部品点数を少なくして構造の簡素化を図ることができる。
【００２６】
以上は、本発明を図示例に基づいて説明したものであり、その具体的な構成はこれに限定されるものではない。例えば、導電弾性材は、音響抵抗機能を備えていないものを用いて形成することもでき、この場合においては、別途に従来からある音響抵抗材を介在配置させることになる。また、中継端子部材は、導電弾性材のみで形成し、インピーダンス変換器４３側とは例えば引き出されている対応リード端子を直接に接触させるようにするものであってもよい。
【図面の簡単な説明】
【００２７】
【図１】本発明の一例を示す説明図であり、そのうちの（ａ）は縦断面図を、（ｂ）は平面図をそれぞれ示す。
【図２】従来からある単一指向性（１次音圧傾度型）のコンデンサマイクロホンユニットの一例を示す縦断面図。
【符号の説明】
【００２８】
１１  コンデンサマイクロホンユニット
１２  コンデンサ部
１３  ダイヤフラム
１４  背極板
１４ａ  透孔
１５  スペーサ
２２  絶縁台座
２３  本体部
２４  一側凹陥部
２５  他側凹陥部
２６  保持孔
２７  後方音響端子孔
３２  中継端子部材
３３  導電端子材
３３ａ  下端面
３３ｂ  上端面
３４  導電弾性材
４２  プリント基板
４３  インピーダンス変換器
５２  金属ケース
５２ａ  開放縁部
５３  前方音響端子孔
５４  後方開口部
【図１】
2006157332.tif 000003
【図２】
2006157332.tif 000004